(57)【要約】【課題】人件費を減らし、また、報知手段などを不要にして部品コストを低減することができ、さらに、従業者の負担を減らし、作業性を向上することができる遊技関連機器の管理装置を提供する。【解決手段】遊技機１１を複数並設して成る遊技機島１０の端部に管理装置２０ａを設置し、従業者は遊技機島１０の端部近傍に居ながら、操作部２０で遊技機１１の扉体の開扉を許可する操作を行うことで、遊技機島１０の中の遊技機１１のいずれか１つの扉体に限り、扉体の開扉を許可するようにし、開扉された扉体が１つであれば、どの扉体が開扉されたかに関係なく正当であり、一方、開扉された扉体が２以上であれば、いずれの扉体の開扉であっても、扉体の開扉に不正があるとした。【選択図】図１
2005040195.tif 000002
【特許請求の範囲】
【請求項１】
遊技場に複数設置され、開閉可能な扉体を有する遊技関連機器を管理するための遊技関連機器の管理装置において、
前記扉体の開扉を許可するための操作を行うことで、前記複数の遊技関連機器の中のいずれか１つの扉体に限って該扉体の開扉を許すようにした開扉許可設定手段を備えたことを特徴とする遊技関連機器の管理装置。
【請求項２】
遊技場に複数設置され、開閉可能な扉体を有する遊技関連機器を管理するための遊技関連機器の管理装置において、
前記遊技関連機器を管理するための操作を行う操作部と、該操作部で一般暗証番号の入力操作を含む前記扉体の開扉を許可するための操作を行うことで、前記複数の遊技関連機器の中のいずれか１つの扉体に限って該扉体の開扉を許すようにした開扉許可設定手段とを備えたことを特徴とする遊技関連機器の管理装置。
【請求項３】
遊技場に複数設置され、開閉可能な扉体を有する遊技関連機器を管理するための遊技関連機器の管理装置において、
前記遊技関連機器を管理するための操作を行う操作部と、該操作部で一般暗証番号の入力操作を含む前記扉体の開扉を許可するための操作を行うことで、前記複数の遊技関連機器の中のいずれか１つの扉体に限って該扉体の開扉を許すようにした開扉許可設定手段と、前記扉体の開扉を監視し、該監視した結果に基づいて警報出力を行う監視モード実行手段と、該監視モード実行手段からの警報出力によって警報を発する警報機とを備え、
前記監視モード実行手段は、前記複数の遊技関連機器の中のいずれの扉体であっても該扉体の開扉を許さない開扉非許可状態の下で、前記扉体の開扉が行われた場合に、あるいは、前記複数の遊技関連機器の中のいずれか１つの扉体に限って該扉体の開扉を許す開扉許可状態の下で、２以上の扉体の開扉が行われた場合に、前記警報機への警報出力を行うようにしたことを特徴とする遊技関連機器の管理装置。
【請求項４】
遊技場に複数設置され、開閉可能な扉体を有する遊技関連機器を管理するための遊技関連機器の管理装置において、
前記遊技関連機器を管理するための操作を行う操作部と、該操作部で一般暗証番号の入力操作を含む前記扉体の開扉を許可するための操作を行うことで、前記複数の遊技関連機器の中のいずれか１つの扉体に限って該扉体の開扉を許すようにした開扉許可設定手段と、前記扉体の開扉を監視し、該監視した結果に基づいて警報出力を行う監視モード実行手段と、該監視モード実行手段からの警報出力によって警報を発する警報機と、前記遊技関連機器に係る情報を表示するための表示部とを備え、
前記監視モード実行手段は、前記複数の遊技関連機器の中のいずれの扉体であっても該扉体の開扉を許さない開扉非許可状態の下で、前記扉体の開扉が行われた場合に、あるいは、前記複数の遊技関連機器の中のいずれか１つの扉体に限って該扉体の開扉を許す開扉許可状態の下で、２以上の扉体の開扉が行われた場合に、前記警報機への警報出力を行うとともに、該警報出力に係る遊技関連機器を特定するための情報を前記表示部に出力するようにしたことを特徴とする遊技関連機器の管理装置。
【請求項５】
前記操作部で警報を解除するための操作を行うとともに、一般暗証番号の入力操作を行うことで、前記警報機への前記警報出力を解除するようにした警報解除制御手段を備えたことを特徴とする請求項３または４に記載の遊技関連機器の管理装置。
【請求項６】
前記操作部で全台を開扉するための操作を行うとともに、マスター暗証番号の入力操作を行うことで、全ての遊技関連機器の扉体の開扉を制御するための全台開扉制御手段を備えたことを特徴とする請求項２、３または４に記載の遊技関連機器の管理装置。
【請求項７】
前記操作部で一般暗証番号を変更するための操作を行うとともに、マスター暗証番号の入力操作を行い、かつ、新規の一般暗証番号の入力操作を行うことで、前記一般暗証番号を変更するようにした一般暗証番号変更手段を備えたことを特徴とする請求項２、３または４に記載の遊技関連機器の管理装置。
【請求項８】
前記操作部でマスター暗証番号を変更するための操作を行うとともに、変更前のマスター暗証番号の入力操作を行い、かつ、変更後のマスター暗証番号の入力操作を行うことで、前記マスター暗証番号を変更するようにしたマスター暗証番号変更手段を備えたことを特徴とする請求項２、３または４に記載の遊技関連機器の管理装置。
【請求項９】
前記操作部でマスター暗証番号の入力操作を含む前記扉体の開扉を監視する状態を変更する操作を行うことで、前記監視モード実行手段により監視される対象から前記扉体に係る遊技関連機器を外すようにした異常スキップ設定手段を備えたことを特徴とする請求項３または４に記載の遊技関連機器の管理装置。
【請求項１０】
前記操作部は、鍵により操作される鍵スイッチ、カードに書き込まれた情報を読み取るためのカードリーダを含むものであることを特徴とする請求項２、３、４、５、６、７、８または９に記載の遊技関連機器の管理装置。
【発明の詳細な説明】
【０００１】
【発明の属する技術分野】
本発明は、遊技場に複数設置され、開閉可能な扉体を有する遊技関連機器を管理するための遊技関連機器の管理装置に関する。
【０００２】
【従来の技術】
従来の遊技関連機器の管理装置としては、例えば、遊技店内に遊技関連機器である島設備が配置され、島設備に取付枠が開閉自在に枢着され、アクチュエータで係合片をロック部材に係合させて取付枠を開扉不能に、また、係合片をロック部材から離脱させて取付枠を開扉可能になっている。中央管理装置より各アクチュエータに対応して割り振られた番号を入力することで、アクチュエータを駆動するようにしたものがある（特許文献１参照。）。
【０００３】
また、遊技関連機器である遊技機の複数を並設して遊技機島が構成され、遊技機島端部に島鍵コントローラが設置され、複数の遊技機は台鍵ユニットをそれぞれ有している。島鍵コントローラと複数の台鍵ユニットとが通信回線を介して接続され、島鍵コントローラは、状態変更指令発生手段を有し、台鍵ユニットは、電子ロック機構、その電子ロック機構の状態を変更する状態変更手段とを有している。島鍵コントローラの状態変更指令発生手段が、通信回線を介して状態変更指令を与えたときのみ、台鍵ユニットの状態変更手段が、電子ロック機構の状態を変更するようにしたものがある（特許文献２参照。）。
【０００４】
【特許文献１】
特開２００１−７０８号公報
【特許文献２】
特開２００２−１３６７４３号公報
【０００５】
【発明が解決しようとする課題】
しかしながら、このような従来の遊技関連機器の管理装置では、前記特許文献１に係る技術においては、取付枠を開扉したい島設備の番号を従業者が、例えば事務所に連絡し、他の従業者が中央管理装置から遠隔操作でアクチュエータを駆動する必要があるから、島設備の番号を連絡するための従業者の他に、中央管理装置を操作するための従業者が必要になり、人件費が嵩むという問題点があった。
【０００６】
また、前記特許文献２に係る技術においては、従業者が遊技機島端部近傍に居て、島鍵コントローラを操作するとき、電子ロック機構の状態を変更すべき遊技機を遊技機島の中から特定し、その遊技機の電子ロック機構の鍵番号を知っておく必要がある。そのため、従業者が遊技機島端部近傍に居ながらにして、状態を変更すべき電子ロック機構の鍵番号を知ることができるような報知手段を遊技機島端部などに設置する必要があり、部品点数が多くなって、コストが嵩む要因になる。あるいは、従業者が遊技機島端部近傍から遊技機の所に行って、状態を変更すべき電子ロック機構の鍵番号を確認する必要があり、従業者の負担が多くなり、作業性が良くないという問題点があった。
【０００７】
本発明は、このような従来の問題点に着目してなされたもので、人件費を減らし、また、報知手段などを不要にして部品コストを低減することができ、さらに、従業者の負担を減らし、作業性を向上することができる遊技関連機器の管理装置を提供することを目的としている。
【０００８】
【課題を解決するための手段】
かかる目的を達成するための本発明の要旨とするところは、次の各項の発明に存する。
［１］遊技場に複数設置され、開閉可能な扉体を有する遊技関連機器（１１）を管理するための遊技関連機器（１１）の管理装置において、
前記扉体の開扉を許可するための操作を行うことで、前記複数の遊技関連機器（１１）の中のいずれか１つの扉体に限って該扉体の開扉を許すようにした開扉許可設定手段（３０ａ）を備えたことを特徴とする遊技関連機器（１１）の管理装置。
【０００９】
［２］遊技場に複数設置され、開閉可能な扉体を有する遊技関連機器（１１）を管理するための遊技関連機器（１１）の管理装置において、
前記遊技関連機器（１１）を管理するための操作を行う操作部（２０）と、該操作部（２０）で一般暗証番号の入力操作を含む前記扉体の開扉を許可するための操作を行うことで、前記複数の遊技関連機器（１１）の中のいずれか１つの扉体に限って該扉体の開扉を許すようにした開扉許可設定手段（３０ａ）とを備えたことを特徴とする遊技関連機器（１１）の管理装置。
【００１０】
［３］遊技場に複数設置され、開閉可能な扉体を有する遊技関連機器（１１）を管理するための遊技関連機器（１１）の管理装置において、
前記遊技関連機器（１１）を管理するための操作を行う操作部（２０）と、該操作部（２０）で一般暗証番号の入力操作を含む前記扉体の開扉を許可するための操作を行うことで、前記複数の遊技関連機器（１１）の中のいずれか１つの扉体に限って該扉体の開扉を許すようにした開扉許可設定手段（３０ａ）と、前記扉体の開扉を監視し、該監視した結果に基づいて警報出力を行う監視モード実行手段（３０ｂ）と、該監視モード実行手段（３０ｂ）からの警報出力によって警報を発する警報機（３１）とを備え、
前記監視モード実行手段（３０ｂ）は、前記複数の遊技関連機器（１１）の中のいずれの扉体であっても該扉体の開扉を許さない開扉非許可状態の下で、前記扉体の開扉が行われた場合に、あるいは、前記複数の遊技関連機器（１１）の中のいずれか１つの扉体に限って該扉体の開扉を許す開扉許可状態の下で、２以上の扉体の開扉が行われた場合に、前記警報機（３１）への警報出力を行うようにしたことを特徴とする遊技関連機器（１１）の管理装置。
【００１１】
［４］遊技場に複数設置され、開閉可能な扉体を有する遊技関連機器（１１）を管理するための遊技関連機器（１１）の管理装置において、
前記遊技関連機器（１１）を管理するための操作を行う操作部（２０）と、該操作部（２０）で一般暗証番号の入力操作を含む前記扉体の開扉を許可するための操作を行うことで、前記複数の遊技関連機器（１１）の中のいずれか１つの扉体に限って該扉体の開扉を許すようにした開扉許可設定手段（３０ａ）と、前記扉体の開扉を監視し、該監視した結果に基づいて警報出力を行う監視モード実行手段（３０ｂ）と、該監視モード実行手段（３０ｂ）からの警報出力によって警報を発する警報機（３１）と、前記遊技関連機器（１１）に係る情報を表示するための表示部（３２）とを備え、
前記監視モード実行手段（３０ｂ）は、前記複数の遊技関連機器（１１）の中のいずれの扉体であっても該扉体の開扉を許さない開扉非許可状態の下で、前記扉体の開扉が行われた場合に、あるいは、前記複数の遊技関連機器（１１）の中のいずれか１つの扉体に限って該扉体の開扉を許す開扉許可状態の下で、２以上の扉体の開扉が行われた場合に、前記警報機（３１）への警報出力を行うとともに、該警報出力に係る遊技関連機器（１１）を特定するための情報を前記表示部（３２）に出力するようにしたことを特徴とする遊技関連機器（１１）の管理装置。
【００１２】
［５］前記操作部（２０）で警報を解除するための操作を行うとともに、一般暗証番号の入力操作を行うことで、前記警報機（３１）への前記警報出力を解除するようにした警報解除制御手段（３０ｃ）を備えたことを特徴とする［３］または［４］に記載の遊技関連機器（１１）の管理装置。
【００１３】
［６］前記操作部（２０）で全台を開扉するための操作を行うとともに、マスター暗証番号の入力操作を行うことで、全ての遊技関連機器（１１）の扉体の開扉を制御するための全台開扉制御手段（３０ｄ）を備えたことを特徴とする［２］、［３］または［４］に記載の遊技関連機器（１１）の管理装置。
【００１４】
［７］前記操作部（２０）で一般暗証番号を変更するための操作を行うとともに、マスター暗証番号の入力操作を行い、かつ、新規の一般暗証番号の入力操作を行うことで、前記一般暗証番号を変更するようにした一般暗証番号変更手段（３０ｅ）を備えたことを特徴とする［２］、［３］または［４］に記載の遊技関連機器（１１）の管理装置。
【００１５】
［８］前記操作部（２０）でマスター暗証番号を変更するための操作を行うとともに、変更前のマスター暗証番号の入力操作を行い、かつ、変更後のマスター暗証番号の入力操作を行うことで、前記マスター暗証番号を変更するようにしたマスター暗証番号変更手段（３０ｆ）を備えたことを特徴とする［２］、［３］または［４］に記載の遊技関連機器（１１）の管理装置。
【００１６】
［９］前記操作部（２０）でマスター暗証番号の入力操作を含む前記扉体の開扉を監視する状態を変更する操作を行うことで、前記監視モード実行手段（３０ｂ）により監視される対象から前記扉体に係る遊技関連機器（１１）を外すようにした異常スキップ設定手段（３０ｇ）を備えたことを特徴とする［３］または［４］に記載の遊技関連機器（１１）の管理装置。
【００１７】
［１０］前記操作部（２０）は、鍵により操作される鍵スイッチ（２１、２２）、カードに書き込まれた情報を読み取るためのカードリーダを含むものであることを特徴とする［２］、［３］、［４］、［５］、［６］、［７］、［８］または［９］に記載の遊技関連機器（１１）の管理装置。
【００１８】
次に、前記各項に記載された発明の作用について説明する。
前記［１］に記載の遊技関連機器（１１）の管理装置によれば、遊技関連機器（１１）の扉体が開扉非許可状態にあるとき、複数の遊技関連機器（１１）の中のいずれの扉体であってもその開扉を許さない状態になっている。扉体の開扉を許可するための操作を行うと、開扉許可設定手段が、複数の遊技関連機器（１１）の中のいずれか１つの扉体であればその開扉を許す状態にする。それにより、複数の遊技関連機器（１１）の中のいずれか１つの扉体を正当に開扉することができる。
【００１９】
例えば、遊技関連機器（１１）の１つである遊技機を複数並設して成る遊技機島において、従業者は遊技機島端部近傍に居ながら、扉体の開扉を許可する操作を行うことで、遊技機島の中の遊技機のいずれか１つの扉体に限り、扉体の開扉が許可される。開扉された扉体が１つであれば、どの扉体が開扉されたかに関係なく正当である。一方、開扉された扉体が２以上であれば、いずれの扉体の開扉であっても不正があったものとされる。
【００２０】
前記［２］に記載したように、扉体の開扉を許可するための操作は、例えば一般暗証番号の入力操作を含むものであり、遊技関連機器（１１）を管理するための操作を行う操作部（２０）で行われる。例えば、この操作部（２０）は遊技機島端部に設置され、従業者が一般暗証番号を入力すると、遊技機島の中の遊技機のいずれか１つの扉体に限り、扉体の開扉が許可される。すなわち、従業者のみによって簡単に、遊技関連機器（１１）の扉体の開扉許可操作を行うことができる。
【００２１】
前記［３］に記載したように、扉体の開扉を監視し、該監視した結果に基づいて警報出力を行う監視モード実行手段（３０ｂ）と、監視モード実行手段（３０ｂ）からの警報出力によって警報を発する警報機（３１）とを備えている。監視モード実行手段（３０ｂ）は、遊技店の営業時間中、遊技関連機器（１１）の扉体の開扉を監視するものでもよく、営業時間外を含み２４時間監視するものであってもよい。警報機（３１）としては例えば警報音を発するもの、点滅表示を行うものを含む。
【００２２】
監視モード実行手段（３０ｂ）は、複数の遊技関連機器（１１）の中のいずれの扉体であってもその扉体の開扉を許さない開扉非許可状態の下で、扉体の開扉が行われた場合に、いずれの扉体の開扉であっても不正であるため、警報機（３１）へ警報出力を行う。また、従業者によって遊技関連機器（１１）の扉体の開扉許可操作が行われ、複数の遊技関連機器（１１）の中のいずれか１つの扉体に限ってその扉体の開扉を許す開扉許可状態の下で、２以上の扉体の開扉が行われた場合に、１つの扉体以外の扉体の開扉は不正であるため、監視モード実行手段（３０ｂ）は、警報機（３１）へ警報出力を行う。
【００２３】
前記［４］に記載したように、監視モード実行手段（３０ｂ）は、扉体の不正な開扉が行われた場合に、警報機（３１）への警報出力を行うとともに、その警報出力に係る遊技関連機器（１１）を特定するための情報を表示部（３２）に出力する。それにより、表示部（３２）に出力され、特定された遊技関連機器（１１）の１または複数について、遊技関連機器（１１）の稼働を停止するとともに、現実に不正が行われたか否かを調査することができる。
【００２４】
前記［５］に記載したように、警報機（３１）への警報出力を解除するようにした警報解除制御手段（３０ｃ）を備えている。警報出力の解除操作は操作部（２０）で行われるが、そのとき、操作部（２０）で一般暗証番号を入力操作する。それにより、従業者その他の遊技店関係者が簡単に、警報出力の解除操作を行うことができる一方で、遊技店関係者以外の者が、勝手に警報出力の解除操作を行えないようにして、この点からも扉体の不正開扉を防止することができる。ここで、操作部（２０）で行われる警報出力の解除操作は、例えば、従業者が所持している一般キーによる操作である。また、一般暗証番号は、遊技店関係者のみが知り得る番号であり、例えば従業者共通の番号であってもよく、従業者毎に異なる番号であってもよい。
【００２５】
前記［６］に記載したように、全ての遊技関連機器（１１）の扉体の開扉を制御するための全台開扉制御手段（３０ｄ）を備えている。全ての遊技関連機器（１１）の開扉操作は操作部（２０）で行われ、そのとき、マスター暗証番号の入力操作が必要になる。それにより、遊技店関係者の中の例えば責任者などの特定者が簡単に、全ての遊技関連機器（１１）の扉体の開扉操作を行うことができる一方で、特定者以外の者、例えば従業者であっても、勝手に全ての遊技関連機器（１１）の扉体の開扉操作を行えないようにして、この点からも扉体の不正開扉を防止することができる。ここで、操作部（２０）で行われる全ての遊技関連機器（１１）の扉体の開扉操作は、例えば、責任者が所持しているマスターキーによる操作である。また、マスター暗証番号は、特定者のみが知り得る番号である。
【００２６】
前記［７］に記載したように、一般暗証番号を変更するようにした一般暗証番号変更手段（３０ｅ）を備えている。一般暗証番号の変更操作は操作部（２０）で行われ、そのとき、マスター暗証番号の入力操作が必要になる。それにより、遊技店関係者の中の責任者などの特定者が簡単に、一般暗証番号の変更操作を行うことができる一方で、特定者以外の者、例えば従業者であっても、勝手に一般暗証番号の変更操作を行えないようにして、この点からも扉体の不正開扉を防止することができる。操作部（２０）で行われる一般暗証番号の変更操作は、例えば、特定者が所持しているマスターキーによる操作である。
【００２７】
前記［８］に記載したように、マスター暗証番号を変更するようにしたマスター暗証番号変更手段（３０ｆ）を備えている。マスター暗証番号の変更操作は操作部（２０）で行われ、そのとき、変更前のマスター暗証番号の入力操作および、変更後のマスター暗証番号の入力操作が必要になる。それにより、遊技店関係者の中の責任者などの特定者が簡単に、マスター暗証番号の変更操作を行うことができる一方で、特定者以外の者、例えば従業者であっても、勝手にマスター暗証番号の変更操作を行えないようにして、この点からも扉体の不正開扉を防止することができる。操作部（２０）で行われるマスター暗証番号の変更操作は、例えば、特定者が所持しているマスターキーによる操作である。
【００２８】
前記［９］に記載したように、監視モード実行手段（３０ｂ）により監視される対象からその扉体に係る遊技関連機器（１１）を外すようにした異常スキップ設定手段（３０ｇ）を備えている。扉体の開扉を監視する状態を変更する操作は操作部（２０）で行われる。例えば、操作部（２０）で行われるマスター暗証番号の入力操作である。扉体の不正な開扉が行われた遊技関連機器（１１）は、監視対象から外さないと、扉体が開扉された１つの遊技関連機器（１１）としてカウントされる。
【００２９】
扉体の不正な開扉が行われた遊技関連機器（１１）を監視対象から外さない状況下では、扉体の開扉を許可する操作を行うことで、遊技機島の中の遊技機のいずれか１つの扉体に限り、扉体の開扉が許可され、新たに開扉された扉体が１つであっても、前記不正に開扉された扉体と含めて全体としては、開扉された扉体が２つにカウントされることから、常に、扉体の不正な開扉が行われたと判断される。そこで、異常スキップ設定手段（３０ｇ）により、前記不正に開扉された扉体に係る遊技関連機器（１１）を監視対象から外すことで、扉体の開扉が許可され、新たに開扉された扉体が１つであれば、全体としても開扉された扉体が１つにカウントされ、扉体の正当な開扉が行われたと判断されるようになる。
【００３０】
前記［１０］に記載したように、操作部（２０）は、鍵スイッチ（２１、２２）やカードリーダを含むものである。鍵スイッチ（２１、２２）は、例えば、従業者が所持する鍵（一般キー）や責任者が所持する鍵（マスターキー）により操作されるものである。また、カードリーダは、従業者が所持する一般カードや責任者が処理するマスターカードにそれぞれ書き込まれた情報を読み取るためのものである。
【００３１】
【発明の実施の形態】
以下、本発明の実施の形態について図面を参照して説明する。
図１〜図１２は、本発明の一実施の形態を示している。
図１〜図３に示すように、本実施の形態に係る遊技関連機器は遊技場に複数設置されるものであり、パチンコ機、スロットマシン、スマートボールのような遊技機１１、並びに、隣接する遊技機間に設置され、パチンコ球を貸し出すための玉貸し機などである。複数の遊技機１１を並設して遊技機島１０が構成されている。本実施の形態においては、遊技関連機器の管理装置２０ａは、遊技機島１０の端部に設置され、開閉可能な扉体を有する遊技機１１を管理するためのものである。
【００３２】
管理装置２０ａは、遊技機１１を管理するための操作を行う操作部２０と、操作部２０で一般暗証番号の入力操作を含む扉体の開扉を許可するための操作を行うことで、複数の遊技機１１の中のいずれか１つの扉体に限って扉体の開扉を許すようにした開扉許可設定手段３０ａと、扉体の開扉を監視し、監視した結果に基づいて警報出力を行う監視モード実行手段３０ｂと、監視モード実行手段３０ｂからの警報出力によって警報を発する警報機３１と、遊技機１１に係る情報を表示するためのプリンターである表示部３２とを備えている。
【００３３】
図４に示すように、操作部２０は、鍵により操作される鍵スイッチである一般キースイッチ２１およびマスターキースイッチ２２を備えている。一般キースイッチ２１には、遊技店の例えば従業者が所持している一般キーが差し込まれ、「ＯＦＦ」位置、「開扉許可」の位置、「警報解除」位置にそれぞれセットされるものである。また、マスターキースイッチ２２には、遊技店の例えば責任者などの特定者が所持しているマスターキーが差し込まれ、「ＯＦＦ」位置、「全開」の位置、「設定」位置にそれぞれセットされるものである。
【００３４】
この他、操作部２０は、テンキーであるキー入力部２３および、操作手順のガイダンスの表示、メッセージの表示、キー入力部２３で入力した数字等の表示を行うための液晶表示部２４を備えている。また、操作部２０は、カードに書き込まれた情報を読み取るためのカードリーダを含むものであってもよい。
【００３５】
開扉許可設定手段３０ａおよび監視モード実行手段３０ｂは、管理装置２０ａの制御部３０の機能である。その機能は、制御部３０のＣＰＵ（中央処理装置）、ＲＯＭ（リードオンリーメモリー）および、ＲＡＭ（ランダムアクセスメモリー）によって実現される。ＲＯＭには遊技機の管理に関する各種データおよび制御プログラムが記録されている。
【００３６】
制御部３０のインターフェースには２本のケーブルが接続され、各ケーブルには分岐コネクタ４１および中継コネクタ４２を介して２０台の遊技機１１の各ドアスイッチ１２がそれぞれ接続されている。すなわち、管理装置２０ａは、４０（＝２０×２）台の遊技機１１の扉体を管理することができるものであり、４０台以下の遊技機１１から成る遊技機島１０であれば、どのように構成された遊技機島１０にも適用することができる。ドアスイッチ１２は、遊技機１１内部に扉体を臨んで配されている。
【００３７】
図５に示すように、ドアスイッチ１２は、本体ケース１３と、本体ケース１３に閉扉検知姿勢（本体ケース１３へ没入した姿勢）と開扉検知姿勢（本体ケース１３から突出した姿勢）とに揺動可能に枢支されたレバー部材１４と、レバー部材１４の揺動動作をそれぞれ検知するための一対のセンサ１５と、レバー部材１４を開扉検知姿勢に付勢する巻きばね１６とを備えている。一対のセンサ１５は、レバー部材１４が閉扉検知姿勢で共にオフし、開扉検知姿勢で共にオンすることで、扉体の開閉検知の正確性を高めることができるものである。
【００３８】
監視モード実行手段３０ｂは、複数の遊技機１１の中のいずれの扉体であっても扉体の開扉を許さない開扉非許可状態の下で、扉体の開扉が行われた場合に、あるいは、複数の遊技機１１の中のいずれか１つの扉体に限って扉体の開扉を許す開扉許可状態の下で、２以上の扉体の開扉が行われた場合に、警報機３１への警報出力を行うとともに、警報出力に係る遊技機１１を特定するための情報を表示部３２に出力するものである。扉体の開扉許可操作については後述する。また、制御部３０は、操作部２０で警報を解除するための操作を行うとともに、一般暗証番号の入力操作を行うことで、警報機３１への警報出力を解除するようにした警報解除制御手段３０ｃを備えている。警報出力を解除する操作についても、後述する。
【００３９】
また、制御部３０は、操作部２０で全台を開扉するための操作を行うとともに、マスター暗証番号の入力操作を行うことで、全ての遊技機１１の扉体の開扉を制御するための全台開扉制御手段３０ｄと、操作部２０で一般暗証番号を変更するための操作を行うとともに、マスター暗証番号の入力操作を行い、かつ、新規の一般暗証番号の入力操作を行うことで、一般暗証番号を変更するようにした一般暗証番号変更手段３０ｅとを備えている。全ての遊技機１１の扉体を開扉する操作および、一般暗証番号を変更する操作についても、後述する。
【００４０】
さらに、制御部３０は、操作部２０でマスター暗証番号を変更するための操作を行うとともに、変更前のマスター暗証番号の入力操作を行い、かつ、変更後のマスター暗証番号の入力操作を行うことで、マスター暗証番号を変更するようにしたマスター暗証番号変更手段３０ｆと、操作部２０でマスター暗証番号の入力操作を含む扉体の開扉を監視する状態を変更する操作を行うことで、監視モード実行手段３０ｂにより監視される対象から扉体に係る遊技機１１を外すようにした異常スキップ設定手段３０ｇとを備えている。マスター暗証番号を変更する操作および、異常スキップを設定する操作についても、後述する。
【００４１】
次に、図６に基づいて、本実施の形態に係る管理装置２０ａで行われる操作の全体的な流れを説明する。すなわち、管理装置２０ａの電源をオンにし（ステップＳ６０１）、電源投入時にマスターキースイッチ２２に差し込んだマスターキーの位置が「設定」にセットされていれば（ステップＳ６０２：Ｙ）、モジュール５に移行し（ステップＳ６０３）、機械番号、台番号、仮マスター暗証番号の各種番号の設定操作を行うことができる。モジュール５の詳細については後述する。
【００４２】
電源投入時にマスターキースイッチ２２に差し込んだマスターキーの位置が「設定」にセットされていなければ（ステップＳ：６０２：Ｎ）、マスターキーと一般キーの位置が「ＯＦＦ」以外であるか否かを判断し（ステップＳ６０４）、マスターキーと一般キーの位置が「ＯＦＦ」以外であれば、マスターキーと一般キーの位置を一度「ＯＦＦ」にしてから、マスターキーや一般キーの位置をセットする。あるいは、マスターキーと一般キーの位置を「ＯＦＦ」のままにする。次に、マスターキーおよび一般キーの位置を判断する（ステップＳ６０５）。
【００４３】
マスターキーと一般キーの位置が「ＯＦＦ」であれば（ステップＳ６０５：Ｎ）、ドアスイッチがオンでなければ（ステップＳ６０６：Ｎ）、ドアスイッチがオフであるかを判断し（ステップＳ６０７）、ステップＳ６０５に戻って、マスターキーおよび一般キーの位置を判断する。
【００４４】
一方、ドアスイッチがオンであれば（ステップＳ６０６：Ｙ）、扉体が開扉許可されていれば（ステップＳ６０９：Ｙ）、ステップＳ６０７に移行し、扉体が開扉許可されていなければ（ステップＳ６０９：Ｎ）、警報機３１への警報出力が行われる（ステップＳ６１０）。
【００４５】
マスターキーや一般キーの位置がセットされていれば（ステップＳ６０５：ｃａｓｅ１〜４）、図４に示すように、一般キーの位置を「開扉」にセットした場合（ｃａｓｅ１）に、モジュール１に移行する（ステップＳ６０８）。また、一般キーの位置を「警報解除」にセットした場合（ｃａｓｅ２）に、モジュール２に移行する（ステップＳ６１１）。さらに、マスターキーの位置を「設定」にセットした場合（ｃａｓｅ３）に、モジュール３に移行する（ステップＳ６１２）。さらに、マスターキーの位置を「全開」にセットした場合（ｃａｓｅ４）に、モジュール４に移行する（ステップＳ６１３）。
【００４６】
次に、図７に基づいて、遊技店の例えば従業者が一般キーの位置を「開扉」にセットした場合のモジュール１を説明する。従業者が操作部２０のキー入力部２３で一般暗証番号を入力すると（ステップＳ７０１）、入力された一般暗証番号が正しくなければ（ステップＳ７０２：Ｎ）、一般暗証番号を入力するステップＳ７０１に戻り、一般暗証番号が正しければ（ステップＳ７０２：Ｙ）、一般キーを「ＯＦＦ」位置にし（ステップＳ７０３）、遊技機１１の扉体の開扉を許可する（ステップＳ７０４）。
【００４７】
このような扉体の開扉許可操作は、例えば、従業者が遊技機島１０の端部近傍に居ながら、操作部２０で操作することができる。以上のように、扉体の開扉許可操作を正規に行うことで、遊技機島１０の中の遊技機１１のいずれか１つの扉体に限り、扉体の開扉が許可される。開扉された扉体が１つであれば、どの扉体が開扉されたかに関係なく正当である。一方、開扉された扉体が２以上であれば、いずれの扉体の開扉であっても不正があったものとされる。
【００４８】
従業者によって扉体の開扉許可操作が正規に行われ、遊技機１１の中のいずれか１つの扉体に限ってその扉体の開扉を許す開扉許可状態の下でも、２以上の扉体の開扉が行われた場合に、１つの扉体以外の扉体の開扉は不正であるため、監視モード実行手段３０ｂは、警報機３１へ警報出力を行う。また、遊技機１１の中のいずれの扉体であってもその扉体の開扉を許さない開扉非許可状態の下で、扉体の開扉が行われた場合に、いずれの扉体の開扉であっても不正であるため、監視モード実行手段３０ｂは警報機３１へ警報出力を行う。警報機３１は例えば警報音を発するとともに、赤色の点滅表示を行う。
【００４９】
次に、図８に基づいて、従業者が一般キーの位置を「警報解除」にセットした場合のモジュール２を説明する。従業者が操作部２０のキー入力部２３で一般暗証番号を入力すると（ステップＳ８０１）、入力された一般暗証番号が正しくなければ（ステップＳ８０２：Ｎ）、一般暗証番号を入力するステップＳ８０１に戻り、一般暗証番号が正しければ（ステップＳ８０２：Ｙ）、警報出力に係る遊技機１１の台番号を表示し（ステップＳ８０３）、警報出力に係る遊技機１１の台番号が全て表示されているか否かを判断する（ステップＳ８０４）。
【００５０】
警報出力に係る遊技機１１の台番号が全て表示されていなければ（ステップＳ８０４：Ｎ）、残りの台番号を表示する（ステップＳ８０３）。台番号が全て表示されていれば（ステップＳ８０４：Ｙ）、一般キーを「ＯＦＦ」位置にする（ステップＳ８０５）。次に、警報機３１への警報出力をオフにして（ステップＳ８０６）、モジュールを終了する。このように、ステップＳ８０６で、１度警報出力をオフにし、メインルーチンに戻った後に、扉体が閉扉していなければ、改めて警報機３１への警報出力を行う。
【００５１】
このように、制御部３０は、警報機３１への警報出力を解除する警報解除制御手段３０ｃを備えている。従業者その他の遊技店関係者が簡単に、警報出力の解除操作を行うことができる一方で、遊技店関係者以外の者が、勝手に警報出力の解除操作を行えないようにして、この点からも扉体の不正開扉を防止することができる。
【００５２】
次に、図９に基づいて、遊技店の例えば責任者がマスターキーの位置を「設定」にセットした場合のモジュール３を説明する。責任者が操作部２０のキー入力部２３でマスター暗証番号を入力すると（ステップＳ９０１）、入力されたマスター暗証番号が正しくなければ（ステップＳ９０２：Ｎ）、マスター暗証番号を入力するステップＳ９０１に戻り、マスター暗証番号が正しければ（ステップＳ９０２：Ｙ）、設定モードの選択に移行し、ケース１が設定されると（ステップＳ９０３：ケース１）、設定項目の選択に移行する（ステップＳ９０４）。制御部３０はこの機能を設定項目選択手段３０ｈとして備えている。
【００５３】
設定項目の選択に移行し、ケース１が設定されると（ステップＳ９０４：ケース１）、操作部２０のキー入力部２３で新規に一般暗証番号を変更し（ステップＳ９０５）、マスターキーを「ＯＦＦ」の位置にし（ステップＳ９０６）、モジュールを終了する。
【００５４】
以上のように、制御部３０は、一般暗証番号を変更するようにした一般暗証番号変更手段３０ｅを備えており、遊技店関係者の中の責任者などの特定者が簡単に、一般暗証番号の変更操作を行うことができる一方で、特定者以外の者、例えば従業者であっても、勝手に一般暗証番号の変更操作を行えないようにして、この点からも扉体の不正開扉を防止することができる。一般暗証番号の変更を営業日毎に行うことで、一般暗証番号は当日のみ有効になっている。
【００５５】
また、設定項目の選択に移行し、ケース２が設定されると（ステップＳ９０４：ケース２）、操作部２０のキー入力部２３で新規にマスター暗証番号を変更し（ステップＳ９０７）、マスターキーを「ＯＦＦ」の位置にし（ステップＳ９０６）、モジュールを終了する。さらに、設定項目の選択に移行し、ケース３が設定されると（ステップＳ９０４：ケース３）、操作部２０のキー入力部２３でクロックが設定され（ステップＳ９０８）、マスターキーを「ＯＦＦ」の位置にし（ステップＳ９０６）、モジュールを終了する。
【００５６】
以上のように、制御部３０は、マスター暗証番号を変更するようにしたマスター暗証番号変更手段３０ｆを備えていて、遊技店関係者の中の責任者などの特定者が簡単に、マスター暗証番号の変更操作を行うことができる一方で、特定者以外の者、例えば従業者であっても、勝手にマスター暗証番号の変更操作を行えないようにして、この点からも扉体の不正開扉を防止することができる。
【００５７】
さらに、設定項目の選択に移行し、ケース４が設定されると（ステップＳ９０４：ケース４）、操作部２０のキー入力部２３で異常スキップが設定され（ステップＳ９０９）、マスターキーを「ＯＦＦ」の位置にし（ステップＳ９０６）、モジュールを終了する。このように、制御部３０は、監視モード実行手段３０ｂにより監視される対象からその扉体に係る遊技機１１を外すようにした異常スキップ設定手段３０ｇを備えている。
【００５８】
扉体の不正な開扉が行われた遊技機１１を監視対象から外さない状況下では、扉体の開扉を許可する操作を行うことで、遊技機島１０の中の遊技機１１のいずれか１つの扉体に限り、扉体の開扉が許可され、新たに開扉された扉体が１つであっても、前記不正に開扉された扉体と含めて全体としては、開扉された扉体が２つにカウントされることから、常に、扉体の不正な開扉が行われたと判断される。しかしながら、異常スキップ設定手段３０ｇにより、前記不正に開扉された扉体に係る遊技機１１を監視対象から外すことで、扉体の開扉が許可され、新たに開扉された扉体が１つであれば、全体としても開扉された扉体が１つにカウントされ、扉体の正当な開扉が行われたと判断されるようになる。
【００５９】
一方、設定モードの選択でケース２を設定すると（ステップＳ９０３：ケース２）、モジュールＡに移行し（ステップＳ９１０）、プリントモードのメニューが選択可能となり、マスターキーを「ＯＦＦ」の位置にし（ステップＳ９０６）、モジュールを終了する。
【００６０】
次に、図１０に基づいて、プリントモードのメニューが選択可能となるモジュールＡを説明する。プリントモードのメニューの中のケース１を選択すると（ステップＳ１００１：ケース１）、精査プリントモードとなり、キー入力部２３の「Ｄ」を操作することで、日付範囲を入力した後に（ステップＳ１００２）、精査プリントが行われる（ステップＳ１００３）。一方、プリントモードのメニューの中のケース２を選択すると（ステップＳ１００１：ケース２）、異常プリントモードとなり、キー入力部２３の「Ｄ」を操作することで、日付範囲を入力した後に（ステップＳ１００４）、異常プリントが行われる（ステップＳ１００３）。制御部３０はこれらの機能をプリント印字設定手段３０ｉおよび日付、時間設定手段３０ｊとして備えている。
【００６１】
一方また、プリントモードのメニューの中のケース３を選択すると（ステップＳ１００１：ケース３）、暗証プリントモードとなり、キー入力部２３の「Ｄ」を操作することで、日付範囲を入力した後に（ステップＳ１００６）、暗証変更履歴プリントが行われる（ステップＳ１００７）。
【００６２】
次に、図１１に基づいて、例えば責任者がマスターキーの位置を「全開」にセットした場合のモジュール４を説明する。遊技機１１が全台開扉中でなければ（ステップＳ１１０１：Ｎ）、責任者が操作部２０のキー入力部２３でマスター暗証番号を入力すると（ステップＳ１１０２）、入力されたマスター暗証番号が正しくなければ（ステップＳ１１０３：Ｎ）、マスター暗証番号を入力するステップＳ１１０２に戻り、マスター暗証番号が正しければ（ステップＳ１１０３：Ｙ）、マスターキーを「ＯＦＦ」位置にし（ステップＳ１１０４）、遊技機１１の全台を開扉する（ステップＳ１１０５）。一方、遊技機１１が全台開扉中であれば（ステップＳ１１０１：Ｙ）、マスターキーを「ＯＦＦ」位置にし（ステップＳ１１０６）、遊技機１１の全台の開扉を解除する（ステップＳ１１０７）。
【００６３】
以上のように、制御部３０は、全ての遊技機１１の扉体の開扉を制御するための全台開扉制御手段３０ｄを備えている。遊技店関係者の中の例えば責任者などの特定者が簡単に、全ての遊技機１１の扉体の開扉操作を行うことができる一方で、特定者以外の者、例えば従業者であっても、勝手に全ての遊技機１１の扉体の開扉操作を行えないようにして、この点からも扉体の不正開扉を防止することができる。
【００６４】
次に、図１２に基づいて、電源投入時に一般キースイッチ２１に差し込んだマスターキーの位置が「設定」にセットされている場合のモジュール５を説明する。責任者が操作部２０のキー入力部２３でマスター暗証番号を入力すると（ステップＳ１２０１）、入力されたマスター暗証番号が正しくなければ（ステップＳ１２０２：Ｎ）、マスター暗証番号を入力するステップＳ１２０１に戻り、マスター暗証番号が正しければ（ステップＳ１２０２：Ｙ）、番号設定の選択に移行し（ステップＳ１２０３）、ケース１を選択すれば（ステップＳ１２０３：ケース１）、機械番号の設定を行い（ステップＳ１２０４）、ステップＳ１２０３に戻る。制御部３０は以上の機能を機械番号設定手段３０ｋとして備えている。
【００６５】
また、番号設定の選択に移行し、ケース２を選択すれば（ステップＳ１２０３：ケース２）、台番号の設定を行う（ステップＳ１２０５）。このとき、４０台の遊技機１１について、重複することなく台番号を設定する。次に、ステップＳ１２０３に戻る。制御部３０はこの機能を台番号設定手段３０ｌとして備えている。さらに、番号設定の選択に移行し、ケース３を選択すれば（ステップＳ１２０３：ケース３）、仮マスター暗証番号の設定を行い（ステップＳ１２０６）、ステップＳ１２０３に戻る。制御部３０はこの機能を仮マスター暗証番号設定手段３０ｍとして備えている。
【００６６】
なお、前記実施の形態においては、操作部２０に設けた鍵スイッチである一般キースイッチ２１やマスターキースイッチ２２により、扉体の開扉許可操作、扉体の全開操作、一般暗証番号やマスター暗証番号の変更操作その他の操作を行うものを示したが、従業者が所持する一般カードや責任者が処理するマスターカードにそれぞれ書き込まれた情報（一般暗証番号、マスター暗証番号などの情報）を読み取るためのカードリーダを操作部２０を設けるようにしてもよい。
【００６７】
また、図７ではステップＳ７０１〜Ｓ７０２、図８ではステップＳ８０１〜Ｓ８０２、図９ではステップＳ９０１〜Ｓ９０２、図１１ではステップＳ１１０１〜Ｓ１１０２、図１２ではステップＳ１２０１〜Ｓ１２０２に示すように、一般暗証番号やマスター暗証番号の確認をそれぞれ繰り返し行うようにしたが、一般暗証番号やマスター暗証番号の確認を３回繰り返すと、各モジュールが終了するようにしてもよい。
【００６８】
さらに、前記実施の形態では、警報出力に係る遊技機１１を特定するための情報を出力する表示部３２としてプリンターを示したが、情報が出力されるものであればどのようなものでもよく、例えば、モニターなどであってもよい。
【００６９】
【発明の効果】
本発明に係る遊技関連機器の管理装置によれば、扉体の開扉を許可するための操作を行うと、開扉許可設定手段が複数の遊技関連機器の中のいずれか１つの扉体であればその開扉を許すようにしたので、例えば、遊技関連機器の１つである遊技機を複数並設して成る遊技機島において、従業者が遊技機島端部近傍に居ながらにして、遊技機島の中の遊技機のいずれか１つの扉体に限り、扉体の開扉を許可する操作を簡単に行うことができ、操作時に従業者の負担が減って、操作性を向上することができる。
【００７０】
また、扉体の開扉を監視し、その監視した結果に基づいて警報出力を行う監視モード実行手段と、監視モード実行手段からの警報出力によって警報を発する警報機とを備えたので、扉体の不正開扉が行われたときに、警報が発せられ、扉体の不正な開扉を行う者に対して、監視されているという意識を与え、扉体の不正開扉を未然に防止することができる。さらに、警報機への警報出力を行うとき、その警報出力に係る遊技関連機器を特定するための情報を表示部に出力するようにしたので、表示部に出力され、特定された遊技関連機器の１または複数について、遊技関連機器の稼働を停止するとともに、現実に不正が行われたか否かを調査することができる。
【００７１】
さらに、操作部で一般暗証番号を入力操作することで、警報機への警報出力を解除するようにした警報解除制御手段を備えているので、従業者その他の遊技店関係者が簡単に、警報出力の解除操作を行うことができる一方で、遊技店関係者以外の者が、勝手に警報出力の解除操作を行えないようにして、この点からも扉体の不正開扉を防止することができる。さらに、操作部でマスター暗証番号の入力操作を行うことで全ての遊技関連機器の扉体の開扉を制御するための全台開扉制御手段を備えているので、遊技店関係者の中の例えば責任者などの特定者が簡単に、全ての遊技関連機器の扉体の開扉操作を行うことができる一方で、特定者以外の者、例えば従業者であっても、勝手に全ての遊技関連機器の扉体の開扉操作を行えないようにして、この点からも扉体の不正開扉を防止することができる。
【００７２】
さらに、操作部でマスター暗証番号の入力操作をすることで、一般暗証番号を変更するようにした一般暗証番号変更手段を備えているので、遊技店関係者の中の責任者などの特定者が簡単に、一般暗証番号の変更操作を行うことができる一方で、特定者以外の者、例えば従業者であっても、勝手に一般暗証番号の変更操作を行えないようにして、この点からも扉体の不正開扉を防止することができる。この一般暗証番号の変更操作は、一般暗証番号が遊技店関係者以外の者に知られた場合に、有効である。
【００７３】
さらに、変更前のマスター暗証番号の入力操作および、変更後のマスター暗証番号の入力操作を行うことで、マスター暗証番号を変更するようにしたマスター暗証番号変更手段を備えているので、例えば特定者が簡単に、マスター暗証番号の変更操作を行うことができる一方で、特定者以外の者、例えば従業者であっても、勝手にマスター暗証番号の変更操作を行えないようにして、この点からも扉体の不正開扉を防止することができる。マスター暗証番号を定期的に変更することで、扉体の不正開扉をより確実に防止することができる。
【００７４】
さらに、操作部で行われるマスター暗証番号の入力操作により、監視モード実行手段により監視される対象からその扉体に係る遊技関連機器を外すようにした異常スキップ設定手段を備えているので、例えば、扉体の不正な開扉が行われた遊技関連機器を簡単に監視対象から外し、扉体の開扉が許可され、新たに開扉された扉体が１つであれば、全体としても開扉された扉体が１つにカウントされ、扉体の正当な開扉が行われたと判断されるようになり、新たな監視態勢を簡単な操作で設定することができる。
【図面の簡単な説明】
【図１】本発明の一実施の形態に係る遊技関連機器の管理装置のブロック図である。
【図２】本発明の一実施の形態に係る遊技機島に遊技関連機器の管理装置が取り付けられた状態を示す取付状態図である。
【図３】本発明の一実施の形態に係る遊技関連機器の管理装置の制御部の機能を示した機能ブロック図である。
【図４】同じく遊技関連機器の管理装置の操作部の正面図である。
【図５】同じく遊技関連機器のドアスイッチの説明図である。
【図６】同じく遊技関連機器の管理装置で行われる操作の全体的な流れを示すフロー図である。
【図７】同じく遊技関連機器の管理装置で行われる扉体の開扉モードを示すフロー図である。
【図８】同じく遊技関連機器の管理装置で行われる警報を解除する手順を示すフロー図である。
【図９】同じく遊技関連機器の管理装置で各種設定を行うときの手順を示すフロー図である。
【図１０】同じく遊技関連機器の管理装置で行われる印字の手順を示すフロー図である。
【図１１】同じく遊技関連機器の管理装置で行われる遊技機島の全台を開扉する手順を示すフロー図である。
【図１２】同じく遊技関連機器の管理装置で行われる各種番号設定の手順を示すフロー図である。
【符号の説明】
１０…遊技機島
１１…遊技機
１２…ドアスイッチ
１３…本体ケース
１４…レバー部材
１５…センサ
１６…巻きばね
２０…操作部
２０ａ…管理装置
２１…一般キースイッチ
２２…マスターキースイッチ
２３…キー入力部
２４…液晶表示部
３０…制御部
３０ａ…開扉許可設定手段
３０ｂ…監視モード実行手段
３０ｃ…警報解除制御手段
３０ｄ…全台開扉制御手段
３０ｅ…一般暗証番号変更手段
３０ｆ…マスター暗証番号変更手段
３０ｇ…異常スキップ設定手段
３０ｈ…設定項目選択手段
３０ｉ…プリント印字設定手段
３０ｊ…日付、時間設定手段
３０ｋ…機械番号設定手段
３０ｌ…台番号設定手段
３０ｍ…仮マスター暗証番号設定手段
３１…警報機
３２…表示部（プリンター）
４１…分岐コネクタ
４２…中継コネクター
【図１】
2005040195.tif 000003
【図２】
2005040195.tif 000004
【図３】
2005040195.tif 000005
【図４】
2005040195.tif 000006
【図５】
2005040195.tif 000007
【図６】
2005040195.tif 000008
【図７】
2005040195.tif 000009
【図８】
2005040195.tif 000010
【図９】
2005040195.tif 000011
【図１０】
2005040195.tif 000012
【図１１】
2005040195.tif 000013
【図１２】
2005040195.tif 000014